(57)【要約】【解決手段】  外袖裏地１と内袖裏地２とを本来内側となる部分で連接された一枚の生地で袖裏地を形成する。そして、縫合されていない袖裏地Ａの長手方向の端縁部1a，2aを互いに縫い合わせて筒状とする。筒状の袖裏地Ｂの本来内側となるべき連接部側では、上下方向につまんで、適度な曲線に湾曲させてある。【効果】  袖裏地製造時のミシン掛けが１回で済むから、製造工程を簡素化できる。美しいシルエットを形作るために特殊な仕上げが施されている袖表地の内側に、袖裏地を沿わせることができる。袖裏地を袖表地よりも大き目に裁断する必要がなくなり、袖裏地ができるだけ少なくて済む。袖表地のゆるやかな曲線に袖裏地をさらに沿わせることができ、衣服の袖部分の曲線が美しく保たれる。衣服用袖裏地を安価に提供できる。【選択図】  図１
2005068575.tif 000002
【特許請求の範囲】
【請求項１】
山袖裏地と下袖裏地とを本来内側もしくは外側となるそれぞれの部分で連接された一枚の生地で袖裏地を形成し、縫合されていない袖裏地の長手方向の端縁部を互いに縫い合わせることを特徴とする衣服用袖裏地の製造方法。
【請求項２】
袖裏地の本来内側となるべき連接部側において、上下方向につまんだことを特徴とする請求項１記載の衣服用袖裏地の製造方法。
【請求項３】
請求項１又は２記載の製造方法により作られたことを特徴とする衣服用袖裏地。
【請求項４】
請求項３記載の衣服用袖裏地を衣服の袖表地の内側に位置させ、少なくともアームホール側と袖口側とにおいて袖裏地と袖表地とを縫い付けたことを特徴とする衣服。
【発明の詳細な説明】
【技術分野】
【０００１】
本発明は、衣服用袖裏地の製造方法とその方法により作られた衣服用袖裏地ならびにその袖裏地を用いた衣服に関するものである。
【背景技術】
【０００２】
男性用、女性用ジャケットその他種々の衣服の袖は、通常、二枚の生地からなっており、それらを互いに縫い合わせて筒状に仕立てたものである。そして、その内側には耐久性を向上させるために、あるいは、手を通すとき滑りやすいように、通常、袖裏地が取り付けられている。
従来、この袖裏地も通常二枚の生地からなっており、例えば図３に示すように裁断された山袖裏地1'と下袖裏地2'の内側1i'，2i'と外側1o'，2o'のそれぞれを互いに縫い合わせて筒状とし、袖裏地の外側縫目を袖表地の外側縫目の内側に、また、袖裏地の内側縫目を袖表地の内側縫目の内側に合わせて袖裏地を中とじするとともに、衣服のアームホールに袖裏地と袖表地のアームホール側を縫い付け、また、袖口側において袖裏地と袖表地とを互いに縫い合わせ、袖に仕立て上げられる。
【０００３】
この場合において、袖表地と袖裏地とはほぼ相似形になっているが、袖表地については美しいシルエットを形作るために、くせ取りなどの特殊なアイロン操作により袖が形成されている。しかしながら、袖裏地については著しく素材が違うため、同じような操作ができない。そのため、袖表地と袖裏地の素材の違いによってできる皺、引きつれ等が表に現れないように、袖裏地上部の上下左右を図３に示すようにあらかじめ大き目に裁断してある。そして、そのゆとりが袖裏地の上部のみに集中しているため、上記ゆとりが下にずり落ちないように袖表地と袖裏地とを途中で止めてある。ちなみに、図３のＷ1，Ｗ3，Ｗ４，Ｗ６，Ｗ8は約1.0cm、Ｗ２，Ｗ5，Ｗ7，Ｗ９は約2.0cmである。
【発明の開示】
【発明が解決しようとする課題】
【０００４】
このように、袖裏地が山袖裏地1'と下袖裏地2'の二枚の生地からなる場合には、両袖裏地1'，2'の内側1i'，2i'と外側1o'，2o'のそれぞれを互いに縫い合わせる作業、すなわち、少なくとも２回のミシン掛けが必要である。
また、袖裏地1'，2'を袖表地よりも長い目、大き目に裁断しなければならないから、袖表地よりも大きな袖裏地が必要となる。
さらに、袖裏地が落ちてこないように、途中何個所かを袖表地に止める作業が必要であり、それだけ厄介であるだけでなく、作業工程も増す。
本発明は、このような従来の欠点を解消するために発案されたものであり、製造工程を簡素化するとともに、袖裏地ができるだけ少なくて済むように工夫したものである。また、袖裏地を安価に提供し、しかも、その袖裏地を用いて安価な衣服を提供することができるようにしたものである。
【課題を解決するための手段】
【０００５】
上記目的を達成するために、本発明では、山袖裏地と下袖裏地とを本来内側もしくは外側となるそれぞれの部分で連接された一枚の生地で袖裏地を形成し、縫合されていない袖裏地の長手方向の端縁部を互いに縫い合わせるようにした。
この製造方法を採用することにより、袖裏地製造時のミシン掛けが１回で済むから、製造工程を簡素化することができる。
【０００６】
また、美しいシルエットを形作るために特殊なアイロン操作が施されている袖表地の内側に上記袖裏地を沿わせることができるから、袖裏地を袖表地よりも大き目に裁断する必要がなくなり、袖裏地ができるだけ少なくて済む。
そして、袖裏地が落ちてこないように、途中何個所かを袖表地に止める必要がないから、作業工程も少なくて済む。例えば、アームホールと袖口のところだけを止めておけば、十分である。
【０００７】
この場合において、袖裏地の本来内側となるべき連接部側において、上下方向につまむとよい。この場合には、袖裏地が図１(c)に示すように湾曲するから、美しいシルエットを形作るために特殊なアイロン操作が施されている袖表地のゆるやかな曲線に上記袖裏地をさらに沿わせることができ、衣服の袖部分の曲線が美しく保たれる。そして、この場合には、袖裏地と袖表地とはアームホール側と袖口側とがほぼ同一の大きさであれば、他の部分は相似形でなくてもよい。
【０００８】
また、本発明では、このようにして作られた安価な衣服用袖裏地を提供することができる。
【０００９】
さらに、本発明では、衣服用袖裏地を安価に提供することができるから、少なくともアームホール側と袖口側とにおいてこの衣服用袖裏地と袖表地とを縫い付けることにより、極めて簡単かつ安価に衣服を提供することができる。
【発明の効果】
【００１０】
請求項１記載の発明によれば、袖裏地製造時のミシン掛けが１回で済むから、製造工程を簡素化することができる。また、美しいシルエットを形作るために特殊なアイロン操作が施されている袖表地の内側に上記袖裏地を沿わせることができるから、袖裏地を袖表地よりも大き目に裁断する必要がなくなり、袖裏地ができるだけ少なくて済む。そして、袖裏地が落ちてこないように、途中何個所かを袖表地に止める必要がないから、作業工程も少なくて済む。例えば、アームホールと袖口のところだけを止めておけば、十分である。
【００１１】
請求項２記載の発明によれば、美しいシルエットを形作るために特殊なアイロン操作が施されている袖表地のゆるやかな曲線に袖裏地をさらに沿わせることができ、衣服の袖部分の曲線が美しく保たれるという利点を有する。そして、この場合には、袖裏地と袖表地とはアームホール側と袖口側とがほぼ同一の大きさであれば、他の部分は相似形でなくてもよいという利点を有する。
【００１２】
請求項３記載の発明によれば、請求項１又は２記載の製造方法により作られた衣服用袖裏地を安価に提供することができる。
【００１３】
請求項４記載の発明によれば、少なくともアームホール側と袖口側とにおいて安価に提供された衣服用袖裏地と袖表地とを縫い付けることにより、極めて簡単かつ安価に衣服を提供することができるという利点を有する。
【発明を実施するための最良の形態】
【００１４】
本発明を実施するための好ましい実施の形態を、図１、図２に基いて詳細に説明する。
本発明では、山袖裏地１と下袖裏地２とを本来内側もしくは外側となるそれぞれの部分で連接された一枚の生地で袖裏地Ａが形成されている。図１(a)では、山袖裏地１と下袖裏地２とが本来内側となるそれぞれの部分で連接されている場合を示している。便宜上、上記連接部を一点鎖線ａで示す。そして、縫合されていない袖裏地Ａの長手方向の端縁部1a，2aを、図１(b)の点線で示すように互いに縫い合わせて筒状とする（その場合の縫目を図面符号ｂで示す）。
【００１５】
このようにすることにより、極めて簡単に袖裏地を作ることができる。この場合において、袖裏地製造時のミシン掛けは袖裏地Ａの長手方向の端縁部1a，2aを互いに縫い合わせるだけであり、１回のミシン掛けで済む。従って、袖裏地の製造工程を簡素化することができる。
【００１６】
そして、筒状になったこの袖裏地Ｂの外側縫目ｂを、図２に示すように、二枚の袖表地、すなわち、山袖表地Ｃと下袖表地Ｄからなる筒状の袖の外側縫目側に、また、袖裏地Ｂの上記連接部ａを山袖表地Ｃと下袖表地Ｄからなる袖の内側縫目側に合わせて袖裏地Ｂを袖表地の内側に位置させ、衣服Ｊのアームホールｊに袖裏地Ｂと袖表地のアームホール側をそれぞれ縫い付け、また、袖口側において袖裏地Ｂと袖表地とを互いに縫い合わせる。
【００１７】
かくして、二枚の袖表地、すなわち、外袖表地Ｃと下袖表地Ｄからなる筒状の袖の内側に、筒状の袖裏地Ｂを沿わせて取り付けることができる。
この場合において、美しいシルエットを形作るために特殊なアイロン操作が施されている袖表地の内側に上記袖裏地Ｂを沿わせることができるから、袖裏地を袖表地よりも大き目に裁断する必要がなくなり、袖裏地ができるだけ少なくて済む。そして、袖裏地が落ちてこないように、途中何個所かを袖表地に止める必要がないから、作業工程も少なくて済む。例えば、アームホールと袖口のところだけを止めておけば、十分である。
【００１８】
ここでは、図１(c)において図面符号３で示すように、袖裏地の本来内側となるべき連接部側において上下方向につまんである。この場合には、袖裏地が図１(c)に示すように湾曲するから、美しいシルエットを形作るために特殊な仕上げが施されている袖表地のゆるやかな曲線に上記袖裏地をさらに沿わせることができ、衣服の袖部分の曲線が特に美しく保たれる。
【００１９】
そして、この場合には、袖裏地と袖表地とはアームホール側と袖口側とがほぼ同一の大きさであれば、他の部分は相似形でなくてもよい。袖裏地をアームホールと袖口以外の部分で細くしてもかまわない。すなわち、袖表地については、いせ込みなどのためにアームホールに対して大きく裁断されているのに対し、袖裏地はいせ込みの必要がないから、アームホールとほぼ同寸であればアームホールに縫い付けることができる。そして、袖表地と袖裏地とを別個のものと認識し、袖裏地についてはアームホール側の口部分と袖の出口側の部分とが繋がっていて腕を通すことができる寸法であれば、袖表地とは異なる形状であっても、例えば、細くてもかまわない。袖表地より袖裏地を細くした方が着やすく、裏生地のあたりが外側から見えにくい。
【００２０】
袖裏地の本来内側となるべき連接部側を上下方向につまむ前の袖裏地は、図１(a)、(b)に示すような形状をしているが、一点鎖線３’で示す部分をつまむことにより図１(c)に示すように適度な曲線に湾曲する。
【００２１】
袖裏地の本来内側となるべき連接部側を上下方向につまむ時期は、縫合されていない袖裏地Ａの長手方向の端縁部1a，2aを図１(b)に示すように互いに縫い合わせて筒状とした後であっても、図１(a)に示すように筒状にする前の展開された状態のときでもよい。ただし、後者のときにつまむ方が作業しやすい。なお、その場合のつまみ代を、図１(a)において図面符号3'で示す。
【図面の簡単な説明】
【００２２】
【図１】本発明による衣服用袖裏地の製造方法の一例を示す概略図で、(a)は広げた衣服用袖裏地を、(b)は縫合されていない袖裏地の長手方向の端縁部を互いに縫い合わせて筒状とした場合を、(c)は袖裏地の本来内側となるべき連接部側において上下方向につまんだ状態を示す。
【図２】図１に示す製造方法により作られた衣服用袖裏地を用いた衣服の一例を示す斜視図で、主要部のみを示す。
【図３】２枚の生地からなる従来の袖裏地の一例を示す概略図である。
【符号の説明】
【００２３】
１…山袖裏地、２…下袖裏地、1a，2a…端縁部、３…つまんだ部分、Ａ…袖裏地（広げた状態）、ａ…連接部、Ｂ…袖裏地（筒状）、ｂ…袖裏地の外側縫目、Ｃ…山袖表地、Ｄ…下袖表地、Ｊ…衣服。
【図１】
2005068575.tif 000003
【図２】
2005068575.tif 000004
【図３】
2005068575.tif 000005